(57)【要約】【課題】  センサーによる警報システムでは重機によるＡＴＭ機の持ち去りや、多人数による大型金庫の持ち去り等、警備員や警察が到着する前に犯人が逃走する迅速な犯罪に対し十分な機能を発揮しない。また、警報ではなく直接犯罪行為を行っているものに対して働きかける機能を持ったものは、常に誤作動の危険があるために煙幕を張る程度の穏やかな作用のものに限られ、前記犯罪を抑止し得ていない。又防犯装置自体も非常に高価である。【解決手段】  当発明では落下エネルギーによって異臭物質を収めた容器を開封せしめる機構を有している。異臭物質は犯行後の追跡を容易にすると共に、盗難紙幣・証券の使用を困難にするため、当発明装置が設置してある事を明示するだけで大きな防犯効果が得られる。更に、当発明は電気的機構を有しない上に地震などの単振動では落下しない機構を有しているため極めて誤作動を起こしにくい。又機構が単純なため安価に製造できる。【選択図】  図１
2006164204.tif 000002
【特許請求の範囲】
【請求項１】
容器が支持台から落下する際にその自重により開封し、内封した液体を滴下せしめる機構を持った、現金等の盗難防止装置。
【請求項２】
支持台に置かれた錘が落下する際に、その重量によって液体を収めた容器を開封し内容物を滴下せしめる機構を持った現金等の盗難防止装置。
【請求項３】
内封する液体は特異な臭気を有する液体および臭気を持つ気体を溶かした溶液単体またはそれに染料や硬化剤を添加したもの。
【請求項３】
容器又は錘を載せる支持台は滑らかな表面を持ち、中心部より縁部が高く、振動による誤落下を防ぐ機能を有する。
【発明の詳細な説明】
【技術分野】
【０００１】  大型金庫、ＡＴＭ、ＣＤ機等据え置き型で内部に現金証券類を保有している機器を、持ち去りや破壊から守る防犯装置に関する。
【背景技術】
【０００２】  現行の防犯システムはセンサー等電気的信号によって異常を感知する方法を採っている。そして異常を検知後ベルなどを鳴らすと共に警備会社等に通報する。装置によっては発煙機能を持ち侵入者を攪乱させる機能を持っているものもある。
【発明の開示】
【発明が解決しようとする課題】
【０００３】  センサーによって異常を感知するシステムでは、異常を検知後警備員等が現場に着くまで数分から十数分を要し、このため多人数によって金庫等を運び出したり重機によってＡＴＭ機ごと運び去るなど迅速な犯行には対応が困難である。【０００４】  ０００３を解決するため特許公開２００１−０６７５５６では、センサーによる検知後悪臭物質などを犯人に吹き付けるアイデアを提案しているが、電気的なシステムにはトラック無線など電磁波による誤作動の他、地震や落雷といった自然現象でも誤作動が起きるものであるため、痕跡を残す液体を吹き付ける装置は日常一般業務等を行う場所への設置は困難である。【０００５】  ０００４については、異臭物質ではなく無臭の煙によって視野を奪う方法が実施されているが、重機による運び出しなどには効果がない。また、異臭物質の放出を一般業務を行う場所ではなく、トランクなど現金等が収められている容器内で放出する方法が特許公開２０００−９３２２４で提案されているが、これも電気的なものである以上誤作動の恐れがある。さらに、複雑な機構を有する装置は単価が高くなり、既に設置されている数十万台のＡＴＭ機等に装着するには経済的負担が大きい。
【課題を解決するための手段】  大型金庫やＡＴＭ機などの現金・有価証券等が収められた空間の上部に、中心部より縁部の方が高い皿状の台を持ち、台上に静置した物体が落下することによって異臭物質を収めた容器を開封して内容物を滴下する機構を持った装置を設置する。これにより運び出し時に重機等によって傾けられたり、積み込んだ車両の加減速や右左折による横Ｇによって容器内部の異臭物質が現金等に振りまかれる。
【発明の効果】
【０００６】  当発明装置は、重力・加速度のみを利用した装置であるため、電磁波・電力による誤作動を生じない。さらに縁部が高い支持台に容器又は錘を載せるため地震のような単振動では落下せず、従来技法に比べ極めて誤作動が起こりにくい。【０００７】  当発明装置は傾けた時点から異臭が発生するため、逃走車両内に異臭が充満して逃走が困難になるだけでなく、警察犬や住民通報による追跡が容易になる。【０００８】  仮に逃走に成功しても、紙のような天然繊維に染み込んだ臭いは容易には取れず、付近の住民等からの通報が期待できるほか、盗み出した紙幣や証券類の使用が困難になる。【０００９】  以上の効果があることを明示した表示板等を外部に大きく掲示することにより、重機による破壊などを未然に防ぐことが可能となる。【００１０】  当発明装置は機構が極めて単純なため小型化が可能であり、既に稼働しているＡＴＭ機などの内部にも設置が可能である。また同じ理由により装置単価が安いため普及しやすい。
【実施例】  以下、添付部面に基づき本発明である防犯装置について説明する。
図１は本発明である防犯装置の内、容器自体の重量によって開封する装置の側面図である。図２は固定具上部と接続糸を除いた上面図であり、破線は図３の断面位置である。
図４は本発明である防犯装置の内、錘の重量によって容器を開封する装置の側面図であり図５はその容器の断面図である。【００１１】  当該装置は金庫やＡＴＭ機の現金保管部上部に固定具ａ及びｅを固定して設置する。
図１において、異臭物質を中空部ｄ−３に内封した容器ｄは自重による開封のため銅など密度の高い金属等で作られ、シール体ｄ−２によって密閉されている。また容器ｄは支持台ｃから落下し得る長さを持った接続糸ｂにより固定具ａと接続している。
図４において、支持台ｆに載せられた錘ｈは接続糸ｇによって容器ｉを密封しているシール体ｉ−２に接続している。
固定具ａ及びｅに取り付けられた支持台ｃ及びｆは地震等による振動で容器ｄ及び錘ｈが落下しないよう、中央部が縁部より低くまた滑らかな構造になっている。この構造をとることによって慣性力と重力により、地震による振動が発生しても容器の位置は中央部に保たれる。【００１２】  図３及び図５は容器の断面図である。図３の実施例では容器ｄの落下によって生じる接続糸ｂの張力によってシール体ｄ−２の一端ｂ−２を引き上げて開封し、他端ｂ−１が容器の端に固定されていることによって容器を傾け、内封液体ｄ−３を滴下する方法を提示している。又図５の実施例では錘ｈの落下によって生じた張力により接続糸ｇがシール体−２を引き剥がし内封した液体ｉ−３を滴下する方法を提示している。
開封方法には他に、張力によってシール体を破く方法、あるいは栓を引き抜く方法、あるいは容器自体を破損する方法が考えられる。【００１３】  内封する異臭物質は当発明においては特定しない。例えば、ブロモアセトンなど催涙系のものを使用すれば持ち去ることも出来ず防犯効果も高いが、付近の住民に危害を及ぼす恐れもある。従ってその臭い自体で犯行を阻止するよりも一般に知られる臭いを出し、逃走時の追跡や保管時や使用時の市民通報を容易にする物質が適当だと考えられる。これにはガス臭で知られるメルカブタン系か大便臭で知られるスカトール類が考えられる。
また、盗難された紙幣や証券が使用時に盗難物であることを示す染料や硬化剤の添加は有効であり、臭い物質ともに標準化すれば防犯効果は一層高まる。
【産業上の利用可能性】大型金庫やＡＴＭ機など移動可能な保管庫を所有する全ての分野において利用可能である。
【図面の簡単な説明】
【図１】は当発明の内、容器自体の重量で開封する装置の全体図で側面図である。当発明装置は固定具ａによって紙幣・証券が収められた容器の上部に固定される。
【図２】は固定具上部と接続糸を除いた上面図である。
【図３】は異臭物質を収めた容器の断面図である。
【図４】は当発明の内、錘の重量で容器を開封する装置の全体図で側面図である。
【図５】は異臭物質を収めた容器の断面図である。
【符号の説明】
ａ  固定具
ｂ  接続糸
ｃ  支持台
ｄ  容器
ｅ  固定具
ｆ  接続糸
ｇ  支持台
ｈ  錘
ｉ  容器
【図１】
2006164204.tif 000003
【図２】
2006164204.tif 000004
【図３】
2006164204.tif 000005
【図４】
2006164204.tif 000006
【図５】
2006164204.tif 000007
【手続補正書】
【提出日】平成17年3月30日(2005.3.30)
【手続補正２】
【補正対象書類名】特許請求の範囲
【補正対象項目名】全文
【補正方法】変更
【補正の内容】
【特許請求の範囲】
【請求項１】
容器が支持台から落下する際にその自重により開封し、内封した液体を滴下せしめる機構を持った、現金等の盗難防止装置。
【請求項２】
支持台に置かれた錘が落下する際に、その重量によって液体を収めた容器を開封し内容物を滴下せしめる機構を持った現金等の盗難防止装置。
【請求項３】
内封する液体は特異な臭気を有する液体および臭気を持つ気体を溶かした溶液単体またはそれに染料や硬化剤を添加したもの。
【請求項４】
容器又は錘を載せる支持台は滑らかな表面を持ち、中心部より縁部が高く、振動による誤落下を防ぐ機能を有する。
【手続補正３】
【補正対象書類名】明細書
【補正対象項目名】全文
【補正方法】変更
【補正の内容】
【発明の詳細な説明】
【符号の説明】
ａ  固定具
ｂ  接続糸
ｃ  支持台
ｄ  容器
ｅ  固定具
ｆ  支持台
ｇ  接続糸
ｈ  錘
ｉ  容器
【手続補正書】
【提出日】平成17年6月20日(2005.6.20)
【手続補正１】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【発明の詳細な説明】
【技術分野】
【０００１】  大型金庫、ＡＴＭ、ＣＤ機等据え置き型で内部に現金証券類を保有している機器を、持ち去りや破壊から守る防犯装置に関する。
【背景技術】
【０００２】  現行の防犯システムはセンサー等電気的信号によって異常を感知する方法を採っている。そして異常を検知後ベルなどを鳴らすと共に警備会社等に通報する。装置によっては発煙機能を持ち侵入者を攪乱させる機能を持っているものもある。
【発明の開示】
【発明が解決しようとする課題】
【０００３】  センサーによって異常を感知するシステムでは、異常を検知後警備員等が現場に着くまで数分から十数分を要し、このため多人数によって金庫等を運び出したり重機によってＡＴＭ機ごと運び去るなど迅速な犯行には対応が困難である。【０００４】  ０００３を解決するため特許公開２００１−０６７５５６では、センサーによる検知後悪臭物質などを犯人に吹き付けるアイデアを提案しているが、電気的なシステムにはトラック無線など電磁波による誤作動の他、地震や落雷といった自然現象でも誤作動が起きるものであるため、痕跡を残す液体を吹き付ける装置は日常一般業務等を行う場所への設置は困難である。【０００５】  ０００４については、異臭物質ではなく無臭の煙によって視野を奪う方法が実施されているが、重機による運び出しなどには効果がない。また、異臭物質の放出を一般業務を行う場所ではなく、トランクなど現金等が収められている容器内で放出する方法が特許公開２０００−９３２２４で提案されているが、これも電気的なものである以上誤作動の恐れがある。さらに、複雑な機構を有する装置は単価が高くなり、既に設置されている数十万台のＡＴＭ機等に装着するには経済的負担が大きい。
【課題を解決するための手段】  大型金庫やＡＴＭ機などの現金・有価証券等が収められた空間の上部に、中心部より縁部の方が高い皿状の台を持ち、台上に静置した物体が落下することによって異臭物質を収めた容器を開封して内容物を滴下する機構を持った装置を設置する。これにより運び出し時に重機等によって傾けられたり、積み込んだ車両の加減速や右左折による横Ｇによって容器内部の異臭物質が現金等に振りまかれる。
【発明の効果】
【０００６】  当発明装置は、重力・加速度のみを利用した装置であるため、電磁波・電力による誤作動を生じない。さらに縁部が高い支持台に容器又は錘を載せるため地震のような単振動では落下せず、従来技法に比べ極めて誤作動が起こりにくい。【０００７】  当発明装置は傾けた時点から異臭が発生するため、逃走車両内に異臭が充満して逃走が困難になるだけでなく、警察犬や住民通報による追跡が容易になる。【０００８】  仮に逃走に成功しても、紙のような天然繊維に染み込んだ臭いは容易には取れず、付近の住民等からの通報が期待できるほか、盗み出した紙幣や証券類の使用が困難になる。【０００９】  以上の効果があることを明示した表示板等を外部に大きく掲示することにより、重機による破壊などを未然に防ぐことが可能となる。【００１０】  当発明装置は機構が極めて単純なため小型化が可能であり、既に稼働しているＡＴＭ機などの内部にも設置が可能である。また同じ理由により装置単価が安いため普及しやすい。
【実施例】  以下、添付部面に基づき本発明である防犯装置について説明する。
図１は本発明である防犯装置の内、容器自体の重量によって開封する装置の側面図である。図２は固定具上部と接続糸を除いた上面図であり、破線は図３の断面位置である。
図４は本発明である防犯装置の内、錘の重量によって容器を開封する装置の側面図であり図５はその容器の断面図である。【００１１】  当該装置は金庫やＡＴＭ機の現金保管部上部に固定具ａ及びｅを固定して設置する。
図１において、異臭物質を中空部ｄ−３に内封した容器ｄは自重による開封のため銅など密度の高い金属等で作られ、シール体ｄ−２によって密閉されている。また容器ｄは支持台ｃから落下し得る長さを持った接続糸ｂにより固定具ａと接続している。
図４において、支持台ｆに載せられた錘ｈは接続糸ｇによって容器ｉを密封しているシール体ｉ−２に接続している。
固定具ａ及びｅに取り付けられた支持台ｃ及びｆは地震等による振動で容器ｄ及び錘ｈが落下しないよう、中央部が縁部より低くまた滑らかな構造になっている。この構造をとることによって慣性力と重力により、地震による振動が発生しても容器の位置は中央部に保たれる。【００１２】  図３及び図５は容器の断面図である。図３の実施例では容器ｄの落下によって生じる接続糸ｂの張力によってシール体ｄ−２の一端ｂ−２を引き上げて開封し、他端ｂ−１が容器の端に固定されていることによって容器を傾け、内封液体ｄ−３を滴下する方法を提示している。又図５の実施例では錘ｈの落下によって生じた張力により接続糸ｇがシール体−２を引き剥がし内封した液体ｉ−３を滴下する方法を提示している。
開封方法には他に、張力によってシール体を破く方法、あるいは栓を引き抜く方法、あるいは容器自体を破損する方法が考えられる。【００１３】  内封する異臭物質は当発明においては特定しない。例えば、ブロモアセトンなど催涙系のものを使用すれば持ち去ることも出来ず防犯効果も高いが、付近の住民に危害を及ぼす恐れもある。従ってその臭い自体で犯行を阻止するよりも一般に知られる臭いを出し、逃走時の追跡や保管時や使用時の市民通報を容易にする物質が適当だと考えられる。これにはガス臭で知られるメルカブタン系か大便臭で知られるスカトール類が考えられる。
また、盗難された紙幣や証券が使用時に盗難物であることを示す染料や硬化剤の添加は有効であり、臭い物質ともに標準化すれば防犯効果は一層高まる。
【産業上の利用可能性】大型金庫やＡＴＭ機など移動可能な保管庫を所有する全ての分野において利用可能である。
【図面の簡単な説明】
【図１】は当発明の内、容器自体の重量で開封する装置の全体図で側面図である。当発明装置は固定具ａによって紙幣・証券が収められた容器の上部に固定される。
【図２】は固定具上部と接続糸を除いた上面図である。
【図３】は異臭物質を収めた容器の断面図である。
【図４】は当発明の内、錘の重量で容器を開封する装置の全体図で側面図である。
【図５】は異臭物質を収めた容器の断面図である。
【符号の説明】
ａ  固定具
ｂ  接続糸
ｃ  支持台
ｄ  容器
ｅ  固定具
ｆ  支持台
ｇ  接続糸
ｈ  錘
ｉ  容器